(57)【要約】  棚の商品を販売するための商品管理陳列システムは商品が配置された表面に沿って移動する無軌道プッシャー機構（１４）を備える。一実施例のプッシャー機構はプッシャー表面（５４）とこのプッシャー表面の前方に伸びるプッシャー床（５２）とから構成される。平坦なコイルバネ（３０）またはその他の付勢部材はプッシャー機構の背後で機能的に結合し、仕切り板（１８）を横切り棚の前方部まで伸びている。使用時には、販売される商品はプッシャー床の上に配置されている。この構成によれば、プッシャー表面が作動中に後ろに転倒したり、曲がったりすることは防止される。別の態様では、コイルバネの端部は留め具に取り付けられるか、あるいは仕切り板に取り付けられることもできる。
2011510704.tif 000002
【特許請求の範囲】
【請求項１】
複数のレールにより形成された表面を備えるトレイと、
プッシャー表面と該プッシャー表面から前方に伸びるプッシャー床とを有し、該プッシャー床が前記トレイの表面を横切りスライドするように構成されるプッシャー機構と、
第一端部とコイル状第二端部を備え、該コイル状第二端部が、前記プッシャー表面の背後で機能的に連結されるように構成されたコイルバネと、
前記コイルバネの第一端部を収容し、陳列された商品を複数の列を成すように仕切るためにトレイに取り付けられるように構成された少なくとも１つの仕切り板とから成ることを特徴とする商品管理陳列システム。
【請求項２】
前記仕切り板は前記コイルバネの第一端部を収容する溝を備えることを特徴とする請求項１に記載の商品管理陳列システム。
【請求項３】
前記コイルバネの第一端部は角度部を備え、該角度部は仕切り板の溝と係合して前記コイルバネの第一端部を少なくとも１つの前記仕切り板に固定することを特徴とする請求項２に記載の商品管理陳列システム。
【請求項４】
前記トレイの前方部により収容されるように構成された留め具を更に有することを特徴とする請求項３に記載の商品管理陳列システム。
【請求項５】
前記コイル状第二端部は軸周りに巻かれ、該軸は前記プッシャー表面に対して直角になることを特徴とする請求項１に記載の商品管理陳列システム。
【請求項６】
前記プッシャー表面は湾曲した形状であることを特徴とする請求項１に記載の商品管理陳列システム。
【請求項７】
前記複数のレールは複数のリブにより一体に結合されていることを特徴とする請求項１に記載の商品管理陳列システム。
【請求項８】
前記トレイは第一側部と第二側部とを備え、該第一側部は第二トレイの対応する形状の舌部を収容するように構成された少なくとも１つの溝を有し、該第二側部は第三トレイの対応する形状の溝に嵌合するように構成された少なくとも１つの舌部を有することを特徴とする請求項１に記載の商品管理陳列システム。
【請求項９】
前記仕切り板は前記レール間に固定されることを特徴とする請求項１に記載の商品管理陳列システム。
【請求項１０】
前記仕切り板は更に、少なくとも１つの細長く、角度のある表面と少なくとも１つの突起部を有する少なくとも１つの連結部から構成されるものであって、該少なくとも１つの細長く、角度のある表面と該少なくとも１つの突起部は前記レール間に嵌合し、該レール間に仕切り板を固定するように構成されることを特徴とする請求項９に記載の商品管理陳列システム。
【請求項１１】
前記連結部は、第二の細長く、角度のある表面と第二の突起部から構成されるものであって、前記レールは歯を備え、前記細長く、角度のある表面と前記突起部は歯間に嵌合し、レール間に仕切り板を固定するように構成されることを特徴とする請求項１０に記載の商品管理陳列システム。
【請求項１２】
複数のレールにより形成された表面を備えるトレイと、
該トレイの表面に取り付けられ、プッシャー表面と該プッシャー表面から前方に伸びるプッシャー床を有し、該プッシャー床が前記トレイの表面を横切りスライドするように構成されるプッシャー機構と、
第一端部とコイル状第二端部を備え、前記プッシャー床を横切って伸び、該コイル状第二端部が、前記プッシャー表面の背後で機能的に連結されるように構成されるコイルバネと、
陳列された商品を複数の列を成すように仕切るためにトレイに取り付けられる少なくとも１つの仕切り板と、
前記トレイにより収容されるように構成される留め具から構成されることを特徴とする商品管理陳列システム。
【請求項１３】
前記留め具は前記コイルバネの第一端部を収容するように構成されることを特徴とする請求項１２に記載の商品管理陳列システム。
【請求項１４】
前記コイルバネの第一端部を収容し、前記留め具に固定されるように構成されるアダプターから更に構成されることを特徴とする請求項１２に記載の商品管理陳列システム。
【請求項１５】
前記アダプターは更に前記コイルバネの第一端部を収容するように構成された湾曲溝と、壁と、湾曲部とから構成され、前記留め具は更に湾曲溝を有し、該湾曲溝は前記アダプターの前記湾曲部を収容するように構成されることを特徴とする請求項１４に記載の商品管理陳列システム。
【請求項１６】
前記仕切り板は調整を行うべく、前記レール間に固定されるように構成されることを特徴とする請求項１２に記載の商品管理陳列システム。
【請求項１７】
前記仕切り板は更に、少なくとも１つの細長く、角度のある表面と少なくとも１つの突起部を有する少なくとも１つの連結部から構成されるものであって、該少なくとも１つの細長く、角度のある表面と該少なくとも１つの突起部はレール間に嵌合し、レール間に仕切り板を固定するように構成されることを特徴とする請求項１６に記載の商品管理陳列システム。
【請求項１８】
前記連結部は、第二の細長く、角度のある表面と第二の突起部から構成されるものであって、前記レールは歯を備え、前記細長く、角度のある表面と前記突起部は歯間に嵌合し、レール間に仕切り板を固定するように構成されることを特徴とする請求項１７に記載の商品管理陳列システム。
【請求項１９】
前記歯は逃げ面とすくい面とを備え、前記少なくとも１つの細長い、角度のある表面は前記すくい面と係合するように構成され、前記少なくとも１つの突起部は前記逃げ面と係合するように構成されることを特徴とする請求項１８に記載の商品管理陳列システム。
【請求項２０】
前記トレイは第一側部と第二側部とを備え、該第一側部は第二トレイの対応する形状の舌部を収容するように構成された少なくとも１つの溝を有し、該第二側部は第三トレイの対応する形状の溝に嵌合するように構成された少なくとも１つの舌部を有することを特徴とする請求項１２に記載の商品管理陳列システム。
【請求項２１】
前記トレイは更にリップ部から構成されるものであって、該リップ部と前記留め具は一緒になってへこみ部を形成し、該へこみ部は前記コイルバネの第一端部を収容するように構成されることを特徴とする請求項１３に記載の商品管理陳列システム。
【請求項２２】
前記バネの第一端部は前記プシャー床から下方に湾曲して、前記リップ部と前記留め具により形成されたへこみ部内に嵌合することを特徴とする請求項２１に記載の商品管理陳列システム。
【請求項２３】
夫々が第一壁と第二壁を有し、夫々がプッシャー機構と留め具機構を収容するように構成された第一トレイと第二トレイと、
前記第一トレイと前記第二トレイに取り付けられて第一と第二トレイを重ねるスペーサーから構成されることを特徴とする商品管理陳列システム。
【請求項２４】
前記スペーサーは更に複数のつめ部から構成されるものであって、前記第一トレイと前記第二トレイはそれぞれ前記複数のつめ部を収容するため複数の対応する形状のソケットを有することを特徴とする請求項２３に記載の商品管理陳列システム。
【発明の詳細な説明】
【技術分野】
【０００１】
本発明の実施態様は、商品の販売に供される棚アセンブリーに関し、更に詳しくは、棚にある商品を陳列し、押し出す機構を改善した棚アセンブリーに関する。
【背景技術】
【０００２】
小売店や卸問屋、例えばコンビニエンスストアー、ドラッグストアー、野菜ストアー、デイスカウントストアー等では商品を保存したり、顧客に商品を陳列するため大量の棚を必要とすることが知られている。商品を陳列する際には、棚上の商品が棚の前方側に配置されて、顧客が見易く、手に取り易いのが好ましい。ソフトドリンク、エネルギードリンク、ボトル水、その他ボトルまたは缶入り飲料水等の商品を保存し、陳列するために使用されるクーラーまたは冷蔵庫の場合、これらの商品もまたは、棚の前方側に配置され、顧客から見易く、取り易いことが望ましい。
【０００３】
このような商品の配置を行うため、既存のシステムでは、棚のトレイやその床を傾斜させて、重力により商品が棚の前方側に移動できるように構成されている。このようなシステムの多くはポリプロピレン等の樹脂材による床や棚を使用し、その摩擦係数が小さいため、商品が傾斜した床や表面に沿って簡単にスライドすることができる構成である。しかしながら、時間が経過するとこれらの表面では破片や粘着性のある物質が障害になって、商品がきちんとスライドできず、時には商品が転倒したり、そのため他の商品が棚の前方に移動することが出来なくなるおそれがある。
【０００４】
その他のシステムでは、棚の前方にある商品が取り出されると、他の商品を棚の前方側に押し出すプッシャーシステムを採用されている。これら既存のプッシャーシステムは通常トラックに取り付けられ、商品を前方に付勢するためプッシャーパドルとコイルバネを備えている。このシステムが使用された場合、時間の経過によりトラックではゴミや粘着性のある物質が障害になり、トラックのプッシャーシステムの適切な作動が妨げられる場合もある。更に販売される商品の大きさ、形状、重量によっては、既存のプッシャーパドルが場合によっては後方に転倒したり、曲がったりしてトラックのプッシャー機構を拘束してしまうことがある。このような状況では、このプッシャー機構が商品を棚の前方部に向かってきちんと押し出すことができないこともある。
【発明の概要】
【発明が解決しようとする課題】
【０００５】
本発明の一実施例は、重力による供給販売システム（即ち、傾斜棚や傾斜トレイ）および非重力の供給販売システムで稼動する無軌道プッシャーシステムを供給することにより現行の販売システムを改善することを目的としている。
【課題を解決するための手段】
【０００６】
本発明の一実施例は棚上の商品を販売するための商品管理陳列システムに関する。この実施例は商品が配置される表面に沿って移動する無軌道プッシャー機構を使用することを含む。この無軌道システムは従来のプッシャー機構を保持、ガイドするトラックの採用に伴う上記問題を解決するものである。尚、本実施例の教示はプッシャー機構等を取り付けるトラックを備えるシステムに使用することができることは留意すべきである。
【０００７】
このプッシャー機構はプッシャーパドルとこのプッシャーパドルの前方に伸びる床を備える。平坦なコイルバネ、またはその他の付勢部材がプッシャーパドルの背後で機能的に結合し、プッシャー機構の床を横切って棚の前部まで伸びている。あるいはこの平坦なコイルバネまたは付勢部材は仕切り板を横切って棚アセンブリーの前部まで伸びることもできる。この構成により、プッシャーパドルが作動中後方に転倒したり、曲がったりすることを防止することができる。
【０００８】
本発明の一実施例は、水平、即ち非傾斜棚又は表面上での、更に又重力による供給システム、即ち商品を棚の前方側に付勢する機構として重力を用いるシステムでの、商品を販売するためのプッシャー機構の採用をまた含んでいる。
【０００９】
本発明の一実施例によれば、プッシャーパドルはソフトドリンクボトルや缶などの円筒形商品を押し出すため凹状押圧面を備え、これによりプッシャーパドルはトラックの中心に且つ商品の背後に保持される。または、プッシャーパドルは更にその上端部に円筒形商品を押すために使用できる湾曲リブまたは同様な構造を備える平坦な押圧面を構成することができる。
【００１０】
本発明の別の実施例によれば、プッシャー機構の床はプッシャー機構をコイルバネに対して整列させるノッチまたは切り欠き部を備える。またプッシャー機構の床は、コイルバネの平端部を受容し、床に取り付けるためノッチまたは切り欠き部を備える。バネ先端はコイルバネの端部上に配置され、コイルバネをシステムの床に取り付けることが出来る。あるいはコイルバネの端部をアセンブリーの仕切り板に取り付けてもよい。
【００１１】
本発明の更なる別の実施例によれば、商品管理陳列システムのアダプターはこの陳列システムの床面上に位置している。このアダプターは平面からなり、この平面はほぼ平行に平面から外側に且つ平面を横切って伸びる少なくとも２つのリブを備えている。コイルバネはこれら平行に伸びるリブ間に位置する。この構成によれば、販売される商品は、コイルバネ上に直接載るのではなく、リブ上に配置することができ、そのため飲料水用缶等、特定タイプの商品の前方への移動を促進することができる。
【００１２】
更なる別の態様によれば、取り付け部材を用いて、コイルバネの端部をシステムの床に取り付けるようにする。連結リブにより一体に結合される離間した複数の滑りレールを備えたこれらのシステムにおいて、この取り付け部材はスナップ嵌合され、または別な方法でシステムの床上且つ滑りレール間に取り付けられる。
【００１３】
更なる別の態様によれば、無軌道プッシャーシステムは既存の棚アッセンブリーに後から取り付ける。この構成により無軌道プッシャーシステム全体を購入するのに比べて低価格で現存する棚システムに無軌道プッシャーシステムを配置することができる。
【００１４】
別の実施例によれば、コイルバネを留め具に取り付ける。このコイルバネの端部は留め具に直接取り付けても良いし、またアダプターを介して留め具に取り付けても良い。このアダプターは湾曲部を備え、この湾曲部が留め具に対応する形状に形成された湾曲溝に収容されてバネの端部を陳列アセンブリーに固定することができる。
【００１５】
別の実施例は、複数のトレイは蟻継ぎにより取り付けられて棚アセンブリーを形成する。更には複数の仕切り板を調整することにより商品列の幅が、異なる大きさの商品を収容することができるように適合することができる。
【００１６】
更に別の実施例によれば、商品管理陳列システムは積み重ね配列で構成される。このアセンブリーはそれぞれ第一壁と第二壁を有する第一トレイと第二トレイを備えるものである。各第一、第二トレイはプッシャー機構と留め具機構を収容するように構成される。第一スペーサーと第二スペーサーは第一トレイと第二トレイに取り付けられ、これらのトレイが互いの上部に積み重ねられる。第一、第二スペーサーは複数のつめ部を備え、第一、第二トレイはそれぞれこれら複数のつめ部を収容するために、複数の対応する形状のソケットを備えている。
【図面の簡単な説明】
【００１７】
【図１】本発明の実施例としての商品管理陳列システムの実施例を示す等角分解図である。
【図２】本発明のトレイ即ち商品経路に取り付けられたプッシャー機構を示す等角図である。
【図３】本システムに配置された商品を備えた、図２のシステムを示す別の等角図である。
【図４】本システムに配置された複数の商品を備えた、図２のシステムを示す別の等角図である。
【図５】図４のシステムを示す等角背面図である。
【図６】本発明の別の実施例としてのトレイ即ち商品経路を示す図である。
【図７】本発明の商品管理陳列システムで使用されるコイルバネの端部の先端を示す図である。
【図８】本発明のトレイ即ち商品経路の表面に取り付けられた図７の先端を示す図である。
【図９】本発明のコイルバネの端部に取り付けられた図７の先端を示す図である。
【図１０】本発明のコイルバネの端部に取り付けられた図７の先端を示す図である。
【図１１】本発明の別の実施例としての商品管理陳列システムを示す等角分解図である。
【図１２】図１１の商品管理陳列システムを示す別の等角図である。
【図１３】図１１の商品管理陳列システムを示す正面図である。
【図１４】図１１の商品管理陳列システムを示す平面図である。
【図１５】図１１の商品管理陳列システムを示す背面図である。
【図１６】本発明に用いられるアダプターを示す等角図である。
【図１７】図１６のアダプターを示す正面図である。
【図１８】本発明のアダプターの装着を示す図である。
【図１９】本発明の装着されたアダプターを示す等角図である。
【図２０】本発明の装着されたアダプターを示す正面図である。
【図２１】本発明の別の実施例としての商品管理陳列システムを示す等角図である。
【図２２】商品管理陳列システムの床にコイルバネの端部を取り付けるために使用される取り付け部材を示す等角底面図である。
【図２３】図２２の取り付け部材を示す等角平面図である。
【図２４】コイルバネがプッシャーパドルに取り付けられた状態で、そのコイルバネの端部に取り付けられた図２２の取り付け部材を示す図である。
【図２５】コイルバネがプッシャーパドルに取り付けられた状態で、そのコイルバネの端部に取り付けられた図２２取り付け部材を示す異なる図である。
【図２６】設けられたコイルバネが商品管理陳列システムの床に取り付けられた状態で、図２２の取り付け部材を示す図である。
【図２７】商品管理陳列システムの床に装着された、図２２の取り付け部材を示す図である。
【図２８】本発明の別の実施例としての商品管理陳列システムを示す等角図である。
【図２９】図２８の実施例のトレイを示す近接等角図である。
【図２９Ａ】第一固定方法を示す図２８の実施例の断面図である。
【図２９Ｂ】第二固定方法を示す図２８の実施例の断面図である。
【図３０】バネをトレイに取り付けるリベットを示す図２８の実施例を示す近接等角図である。
【図３１】既存の線棚に組み込まれた図２８の実施例を示す等角図である。
【図３２】既存の線棚に組み込まれた図２８の実施例を示す等角図である。
【図３３】本陳列システムの実施例を示す等角図である。
【図３４】本陳列システムの実施例を示す等角図である。
【図３５】アダプターの実施例を示す等角図である。
【図３６】留め具の実施例を示す等角図である。
【図３７】本陳列システムの実施例を示す側面図である。
【図３８】本陳列システムの実施例を示す等角図である。
【図３９】本陳列システムの実施例を示す等角図である。
【図４０】本陳列システムの実施例を示す等角図である。
【図４１Ａ】仕切り板の実施例を示す断面側面図である。
【図４１Ｂ】本陳列システムの実施例を示す正面図である。
【図４１Ｃ】図４１Ｂの断面の近接図である。
【図４１Ｄ】仕切り板の実施例を示す正面図である。
【図４２】本陳列システムの実施例を示す等角図である。
【図４３】本陳列システムの実施例を示す等角図である。
【図４４】商品管理陳列システムの実施例を示す等角図である。
【図４５】本システムに商品を供給した状態で、商品管理陳列システムの実施例を示す別の等角図である。
【図４６】本システムに商品を供給した状態で、商品管理陳列システムの実施例を示す平面図である。
【図４７】本システムに商品を供給した状態で、商品管理陳列システムの実施例を示す等角背面図である。
【図４８】仕切り板に取り付けられたプッシャー機構の実施例を示す等角図である。
【図４９】本商品管理陳列システムに組み込まれた仕切り板とプッシャー機構を示す別の等角図である。
【図５０】本商品管理陳列システムの別の実施例を示す等角図である。
【図５１】商品を省略した、図５０の本商品管理陳列システムの実施例を示す別の等角図である。
【図５２】図５０の本商品管理陳列システムの実施例を示す等角分解図である。
【発明を実施するための形態】
【００１８】
本発明の実施例を詳細に説明する前に、本発明の適用が以下の記載に規定された、または図面に示された部品の構造の詳細および部品の構成に限定されるものでないことを留意しなければならない。本発明はその他の実施例で達成することができ、種々の方法で実行または実施することができる。またここで使用される表現および語彙は記述を目的としたものであって、限定とみなされるべきでない事に留意しなければならない。“含む”および“から構成される”の用語使用およびその変形はその用語の後に記載される用語およびその均等語を含むと共にさらに追加される用語およびその均等語をも含むものである。更に“取り付け”、“取り付けられる”、または“取り付けている”の用語の使用は、直接、非直接にかかわらず、ある部品を他の部品に取り付け、付着、接合、結合する任意の技術または方法を広く含むことを意味する。
【００１９】
本発明は種々の形式で実施できるものである。同一の番号は同一の構成要素を示す図面を参照すると、図１は実施例の等角分解図である。販売システム１０は無軌道プッシャー機構１４に取り付けられた商品分配トレイ１２を含む。以下にさらに詳細に記載されるようにこのプッシャー機構１４は、従来のプッシャー機構をトレイまたはトレイの床に保持するために通常使用されるトラック、レールまたはガイドを使用することなく、トレイ１２に嵌合し、トレイの表面に沿ってスライドするものである。このプッシャー機構はプッシャーパドルと、プッシャー機構の前方に伸びるプッシャー床から構成される。コイルバネはプッシャー床を横切って伸び、トレイ上の前方位置でトレイと機能的に結合している。本発明の一態様では、販売される商品はプッシャーパドルの前面でトレイに配置され、コイルバネおよびプッシャー床上に載っている。この構成によれば、商品の重さによりプッシャーパドルが転倒するのを防ぎ、商品が適切に押し出されることを保証している。更にこの構成によれば、破片や粘着性物質がトラック、レールまたはガイドを使用している既存のプッシャーシステムの作用効果を妨げる問題は排除される。本発明のその他の態様、実施例、特徴ならびにその教示は以下に詳細に記載される。
【００２０】
トレイ１２は表面１６と一つまたは複数の分割パネル即ち仕切り板１８とを備え、トレイを複数の列に分けて商品を配置することができる。別の態様では、このトレイ１２は棚または任意の他の表面として、その上に商品を販売のために配置しても良い。この面１６は頑丈な表面、即ち複数の支持リブによって分離された複数の離間した開口２０を有する面から構成される。開口２０とリブ２２は、そこに置かれた商品がスライド移動できるとともに液体とゴミが開口２０を通過できるようにする面を備え、それらが面上で集まらないようにする。この表面１６はその上で商品がスライド移動できるようにする任意の部材で構成される。その他の公知の面または床形状は、本発明の原理で使用できる。
【００２１】
図９および図１０に示されるように、表面１６はノッチまたは切り欠き部２６を有する円形端部２４を備える。端部２４は、トレイ上に配置された商品の形状に合わせて円形に形成される。例えば、図示された端部２４はトレイに且つ端部２４上に配置されるボトルまたは缶の外形に合うように円形または半円形に構成される。端部のその他の形状は、販売される商品に応じて本発明に適用される。
【００２２】
ノッチ２６は、コイルバネ３０または類似付勢部材の端部２９を収容し、取り付けるために使用される。ノッチ２６はエッジ３４により接合される、対抗する角度付エッジ面３２を備える。エッジ３４はトレイ１２に形成される商品列の幅全体の中心で且つトレイの長手方向に対して直角に伸びることが望ましい。この構成により、コイルバネ３０をトレイ１２に対して中心に位置させ、そのバネをトレイの長手方向に対して略平行に伸びるようにすることができる。即ち、図示されたノッチ２６のエッジ３４により、バネ３０がトレイにより形成された商品列の中心又はその近くでトレイ１２の長手方向に沿って伸びることができる。ノッチの位置と形状がバネの望まれる配置によって変化することは、当業者は理解している。
【００２３】
コイルバネ３０は、ノッチ２６全体に亘り且つエッジ２４上に配置されるように構成された端部２９を備える。他の態様によれば、コイルバネの端部２９は、Ｖ字型に形成され、面１６の端部２４の下側に伸びるコイルバネの端部２９の部分によりエッジ３４の周りを包むようにしてフックとして機能することができる。この形状により、コイルバネをトレイ上に容易に装着することができる。
【００２４】
別の態様によれば、図７においてバネ先端６０はバネ３０の端部２９に付加され、バネのシステムへの取り付けを補助することができる。バネ先端６０は、トレイおよびバネ端部が取り付けられるべき面の構成に応じて、多くの形状と構成を備えるものである。バネ先端６０は、コイルバネ３０の端部２９にずっと取り付けられるか、あるいは着脱可能に設けることにより、バネ先端６０の交換または差し替えを可能にすることができる。バネ先端６０は、樹脂製であり、１つまたは複数の開口を備える。開口６１は、コイルバネ３０の端部２９を収容するために使用される。第二の開口６３は、合わせ舌部即ち、以下に述べるようにトレイ１２の表面１６から伸びる取り付け部材６５を収容するために使用される。この構成により、コイルバネ３０の端部２９は、機能的にトレイ１２に連結される。
【００２５】
別の態様では、コイルバネ３０の端部２９は、表面１６に形成された開口にスナップ嵌合する、あるいはトレイの隙間即ち開口に挿入固定され、それによりコイルバネ３０の端部２９を適切な位置に固定する。
【００２６】
図１に戻ると、複数の仕切り板１８を使用することで、商品を複数の列に分けることができる。仕切り板１８は、表面１６から上方に伸び、図１に示されるように表面１６の対抗側部に位置づけられる。別の方法としては、仕切り板１８をトレイ１２上または表面１６に対して任意の位置に設けても良い。仕切り板１８は表面１６と一体に形成してもよいし、あるいは着脱自在にしてシステムでの自由度を増加させることもできる。仕切り板は、システムに応じて前方または後方レールに取り付けられる。仕切り板１８は、種々な形状を取ることができ、上方に所望の距離伸びて、販売される商品の列間で仕切り板の高さを所望にすることができる。この高さは、仕切り板伸長材等を設けることで調節自在にできる。
【００２７】
１つまたは複数の商品保持部材４４がトレイ１２の前面に設けられ、仕切り板１８間に伸びている。商品保持部材４４は、前方保持壁または棒として機能することで、商品をトレイ１２に保持し且つ商品がトレイ１２から脱落するのを防ぐ。これらの部材は更にトレイ１２で最も前方に位置する商品を簡単に取り出すことができる形状に構成される。商品保持部材４４は、図１に示されるように１つまたは複数の湾曲形状の保持リブである。これらの保持リブは一方の仕切り板から他方の仕切り板に伸びて、これらの仕切り板を連結する。保持リブはまたリブ４６として図１に示されるように仕切り板間を部分的に伸びて商品をトレイに保持するのを補助している。別の例では、図６に示されるように商品保持部材４４は、仕切り板間で伸びる湾曲形状の立体の保持壁４８として形成される。保持壁４８は透明または半透明に形成され、棚上の商品を視認することができるように構成される。別の態様では、保持壁４８は、また仕切り板間で部分的に伸びることもできる。図１１から図１５に示される更に別の例では、保持壁１００はトレイの面に取り付けられ、仕切り板とは結合しないように構成される。この実施例では、保持壁１００は上方部材１０４、更に傾斜エッジ１０８を備えた、対抗する湾曲側壁１０６と床部材１１０により画成される開口１０２を備える。側壁１０６はシステムに応じて真っ直で曲がっていなくても良い。コイルバネの端部は、また床１１０にスナップ嵌合しても良いし、ここに記載された任意の技術を用いてトレイに取り付けられても良い。当業者は商品保持部材４４に可能な形状および構成は多くあり、且つ図示された構成は多くの構成のなかの単なる例示にすぎないことを十分に理解している。
【００２８】
図１に戻ると、この無軌道プッシャー機構１４はプッシャーパドル５０とプッシャー床５２とを備えている。プッシャーパドル５０とプッシャー床５２は単一の一体構造として形成されても良いし、公知技術を用いて一体に結合される分離した構造であっても良い。更にプッシャーパドル５０とプッシャー床５２は任意の公知の樹脂または金属部材から構成される。プッシャーパドル５０とプッシャー床５２は任意の公知の補強技術を用いて補強されることができる。
【００２９】
１つの態様では、プッシャーパドル５０は図３から図５に示されるように飲料を含む樹脂性ボトルや缶のような、販売される商品の形に合わせて構成される湾曲プッシャー表面即ち面５４を備える。この湾曲プッシャー表面５４により、プッシャーはトレイ中の最後の商品と中心上で整列した状態で留まることができる。この構成により、プッシャーと仕切り板壁間の摩擦および引きずりが減少する。別の態様では、プッシャー表面または面は平坦面からなる。更に別の態様では、プッシャー表面は、図１に示された湾曲プッシャー表面５４と同様に、プッシャーパドルの近くまたはプッシャーパドル上に位置し、且つ商品をトレイの中で中心に整列するように設けられた湾曲リブを備える。この湾曲リブは、円筒形、またはそれに類似した形状の商品がトレイの中で適切に押し出されることを可能にするその他の形状、構成を取ることができる。宣伝、商品識別、その他の商品情報はプッシャー表面５４に掲げることが出来る。
【００３０】
プッシャー表面即ち面５４の背後には、リブ、壁、ひだ等の、１つまたは複数の支持部材５８が位置する。この支持部材５８は、プッシャー表面５４を支持し、且つプッシャーパドル５０をプッシャー床５２に連結するように形成される。図５に示されるように、支持部材５８間には、コイルバネ３０、より詳しくは、当該技術で知られているように、プッシャーパドル５０を前方にトレイ１２に沿って付勢するように使用されるコイル端部５７が設けられる。コイルバネをプッシャーパドル５０に機能的に結合させる、任意の技術を本発明に用いることができる。
【００３１】
図１に示されるように、プッシャー床５２はプッシャーパドル５０の下に設けられ、プッシャーパドルのプッシャー表面５４の前方に伸びている。プッシャー床５２は、任意の予め決められた距離、角度で伸びている。例えば、プッシャー床５２はプッシャー表面５４に対して略直角に伸びる。この実施例では、プッシャー床５２は、十分な距離に伸びて、１つのボトルまたは缶等の１つの商品がプッシャー床上に配置できるように構成される。別の態様では、プッシャー床５２は複数の商品がプッシャー床上に配置できるように形成される。プッシャー床５２は図示された円形を含む任意の形状を取ることができ、且つプッシャー床上に任意の商品保持機構、例えばリブ、壁等を備え、商品を更にプッシャー床上に保持することが出来る。
【００３２】
図２に示されるように、プッシャー床５２はコイルバネ３０が載る大きさ、形状、構成を有する細長いチャンネル、溝、またはへこみ部５９を備える。この実施例では、チャンネルまたは溝５９は床５２を横切り、プッシャーパドル５０に対して略直角に伸びる。別の態様では、溝またはチャンネルは部分的にまたは図１９に示されるようにプッシャー床５２全体を横切って伸びている。このような構成により、プッシャーパドル５０はトレイの中で適切に整列され、位置決めされる。溝５９はコイルバネ３０の厚さに対応する、または超える深さを有する。この形状により、コイルバネ３０は、商品がコイルバネ上に直接に載るのではなく、むしろプッシャー床表面上に載るようにプッシャー床表面に、またはその下に位置する。図１９に示されるように、プッシャー床は隙間または開口を有して、破片やその他のものが通過できるように構成される。あるいは床は立体表面で構成されても良い。
【００３３】
本発明の別の態様では、図１６から図２０に示されるように、アダプター１８０が表面１６上に設けられる。図１６と図１７を参照すると、このアダプター１８０は商品が載る１つまたは複数の凸状リブ１８２を備える。この凸状リブ１８２はアダプター１８０の長さに沿って長手方向に伸びている。アダプター１８０は平面１８２から外側に伸びる１つまたは複数のリブ１８２で平面１８４を画成する樹脂材料（あるいはその他の任意の適正材料）の平坦な押し出し成形材である。アダプター１８０は円形端部１８５と、コイルバネが貫通または横切るノッチまたは切り欠き部１８６を備える。円形端部１８５はトレイ上に置かれた商品の形状と合うように形成される。端部１８５、ノッチ１８６、およびアダプター１８０のその他の形状は販売される商品に応じて本発明に使用される。アダプター１８０は、分離した、挿入可能な部材あるいは表面１６と一体に形成された部材であっても良い。
【００３４】
図１８を参照すると、アダプター１８０は表面１６上に且つ仕切り板１８間に簡単に挿入可能に構成される。図１９では、一旦アダプター１８０が装着されると、プッシャー機構１４がアダプター１８０の上に位置させられ、アダプター１８０のリブ１８２を横切って自由にスライドすることができる。コイルバネ３０はリブ１８２間で平行に伸び、図２０により明確に示されるように、リブ１８２の上端面にまたはその下に位置する。この構成により、販売される商品は、コイルバネ３０上ではなく、リブ１８２上に載り且つそれに沿ってスライドするように構成される。
【００３５】
別の態様では、リブ１８２は表面１６上での商品の移動をスムースにするために使用される１つまたは複数の凸状ビード、または一連の指から構成される。更に別の例では、リブ１８２は、商品移動部材、例えば、複数のランナー、または１つまたは複数のローラーであり、または商品がそれを横切り、商品陳列システムの前方に向かって転がる転がり部材である。例示のローラーアセンブリーは２００５年１０月２５に出願され、ＲＴＣ工業に譲渡された米国特許出願Ｎｏ．１１/２５７、７１８に開示され、記載されたアッセンブリーを含むものである。その出願は参照によりここに合体されるものである。当業者に知られているように、棚や床上での商品の移動を促進するための上述したプッシャー機構には多くの技術を使用することが可能である。
【００３６】
プッシャー床５２の下側は、表面１６に沿って自由にスライドする滑らかな平坦面から構成される。あるいは、上記と同様にプッシャー床５２はビード、ランナーまたはローラー等を含むことにより、プッシャー床を更に表面１６から持ち上げて表面に沿ってスライドすることができるようにしても良い。別の実施例では、プッシャー床の下側にレール取り付け部材を構成し、当該技術では知られているように、プッシャーをトラックまたはレールに取り付けても良い。
【００３７】
プッシャー床はコイルバネ３０が通るノッチまたは切り欠き部６２を備える。コイルバネ３０の端部２９はノッチ６２と表面１６のノッチ２６を通り、上述した任意の技術を使用してトレイに取り付けられる。
【００３８】
使用時、プッシャー機構１４はトレイ１２の後側に付勢されると、コイルバネ３０の端部２９は、上述したように適切な位置に保持され、バネ３０の巻き端部５７はプッシャーパドル５０の背後で巻きが解かれ始める。もしプッシャー１４がトレイ１２の中で前方に移動できる場合には、例えば、商品がトレイの前方から取り出された場合、バネ３０の巻き端部５７は巻かれ、プッシャーパドル５０をトレイの前方に付勢し、そのため商品をトレイの前方に向かって付勢する。
【００３９】
別の実施例では、コイルバネ３０は図示されるように、上記とは反対にプッシャー床５２の下側でその底面で伸び、且つプッシャー床を横切って伸びている。この形状により、溝59とノッチ６２は必要なくなる。
【００４０】
コイルバネ３０は、限定するものではないが、プッシャーシステムに共通して用いられる平坦なコイルバネからなる任意の付勢部材である。本発明は望む適用に応じて１つまたは複数のコイルバネを用いて、プッシャー機構１４を前方に付勢している。バネ３０のコイル張力はまた特定の適用に応じて変更する。
【００４１】
図２を参照すると、無軌道プッシャー機構１４はトレイ１２に取り付けられるように図示されている。図示の通り、プッシャー機構１４は仕切り板１８間でトレイ１２にきちんと収まっている。コイルバネ３０の端部２９は上述したようにプッシャー床のノッチを通り、トレイに取り付けられている。使用時、プッシャー機構１４はトラック、レールまたはガイドを使用せずにトレイ１２の表面１６に沿ってスライドする。図２に示されるとおり、このプッシャー機構１４は前方位置に示されている。
【００４２】
図３を参照すると、プッシャー機構１４は販売システム１０で１つの商品７０を販売するように図示される。この商品は商品保持部材４４によりトレイから転倒しないように構成される。この商品７０は、図示されたソフトドリンクボトルを含み、販売される任意の商品で構わない。この図に示されるように、商品７０は商品の下で伸びるプッシャー床52とコイルバネ３０の上に載っている。床５２上の商品の重量とバネ３０全体での商品の位置がトレイ１２でパドル５０が転倒するのを防止している。
【００４３】
図４を参照すると、プッシャー機構１４は販売システム１０で複数の商品７０を販売するように図示されている。この図に示されるように、プッシャーパドル５０の隣の商品が商品の下で伸びるプッシャー床52とコイルバネ３０上に載っている。その他の複数の商品はそれらの下で伸びるコイルバネ３０の上に載っている。あるいはアダプター１８０がシステムに設けられ、その場合商品がコイルバネに対抗するようにアダプターのリブ１８２上に載るように構成される。前記同様に床５２上の商品の重量とバネ３０全体での商品の位置がトレイ１２でパドル５０が転倒するのを防止している。使用時、１つの商品が商品保持部材４４近くのトレイ１２の前方から取り出されると、プッシャー機構１４は（コイルバネ３０の付勢力を介して）最先端の商品が商品保持部材４４と接触するまでトレイ１２で残っている商品を前方に押し出すことになる。更に商品が取り出されると、プッシャー機構１４は引き続き残りの商品を商品保持部材４４に向かって押し出すことになる。
【００４４】
図５を参照すると、プッシャー機構１４の背面図は販売システム１０で複数の商品７０を販売するプッシャー機構１４を示す。また、プッシャーパドル５０の隣の商品が商品の下で伸びるプッシャー床52とコイルバネ３０上に載っている。その他の複数の商品はそれらの下で伸びるコイルバネ３０の上に載っている。あるいはアダプター１８０はシステムに設けられ、その場合商品がコイルバネに対抗するようにアダプターのリブ１８２上に載るように構成される。１つの商品が商品保持部材４４近くのトレイ１２の前方から取り出されると、バネ３０のコイル端部５７は最先端の商品が商品保持部材４４と接触するまでプッシャー機構１４のプッシャーパドル５０をトレイ１２の前方に付勢することになる。この図から明らかなように、コイル端部５７は２つの支持部材５８間に位置決めされている。支持部材はこれらの部材間でコイルバネを保持することになる。この図から明らかなように、プッシャー床５２はまた支持部材５８の下に伸びている。
【００４５】
図６を参照すると、プッシャートレイの別の実施例が示されている。この実施例では、複数のトレイ１２が１つの多重トレイアッセンブリー８０に形成されている。複数のトレイは床から上方に伸びる仕切り板１８を有する共通床を備え、複数のトレイまたは列を構成する。この実施例では、商品保持部材４４は、上述したように２つの仕切り板間を伸びる立体部材からなる。１つまたは複数の多重トレイアッセンブリー８０はクリップ、蟻継ぎ手、ファスナー等の公知の任意の技術を用いて横に並ぶ様に一体に結合または接合されている。この構成により、多くの商品列を多くの商品の販売用として供給しうるものである。
【００４６】
上述したように、無軌道プッシャー機構１４は重力による供給システム、即ち傾斜面に取り付けられるトレイまたは商品経路を備え、それにより重力による商品の販売を補助するシステムに使用される。あるいは無軌道プッシャー機構１４は非傾斜即ち水平に取り付けられるシステムに使用され、そこでは重力はほとんどあるいは全く商品の販売を補助しない構成である。無軌道プッシャー機構１４はまた種々の形状の商品を押し出すのに使用できるものである。
【００４７】
図７は販売システム１０に使用されるコイルバネ３０の端部２９のための先端６０を示す図である。図示されるように、先端６０はコイルバネの端部２９を収容する開口６１とトレイの表面１６に取り付けられる開口６３を形成している。図７に示されるように、別の実施例の一態様では、表面１６の下で伸びる舌部即ち取り付け部材６５は開口６３に嵌め合い、先端６０を舌部６５にスナップ嵌合させて、表面１６に嵌合するように形成されている。
【００４８】
図８を参照すると、図７の先端６０が舌部即ち取り付け部材６５に取り付けられている状態が示されている。この舌部６５は細長い、外側に伸びるリブ６７を備え、これが先端６０を舌部６５にスナップ嵌合させるように使用される。当業者は、その他の技術が先端６０を表面１６に取り付けるのに用いられることができ、図示された技術はそのような技術のほんの例示に過ぎないことを理解しているものである。
【００４９】
図９を参照すると、例示の先端６０は表面１６にスナップ嵌合で完全に取り付けられていることが示され、より詳しくはトレイ１２の表面１６の端部２４に取り付けられていることが示されている。またコイルバネ３０の端部２９の先端６０の開口６１への取り付けが図示されている。図９に示されているように、コイルバネの端部２９は開口６１に挿入されている。開口６１はコイルバネの端部２９を収容し、端部２９を適切な位置に保持するように構成され、更にシステムからプッシャー機構１４の取り外しを可能にするため、先端からコイルバネを分離することが望まれる場合には孔６１からコイルバネの端部２９の取り外しを可能にするように構成される。
【００５０】
図１０を参照すると、コイルバネの端部２９が完全に先端６０に取り付けられていることが示されている。この図に示されるように、このバネ３０はこのとき機能的にトレイ１２の表面１６に連結している。その結果、プッシャー機構１４はトレイ１２に取り付けられている。
【００５１】
図２１から図２７を参照すると、コイルバネ３０の端部２９を販売陳列システムに取り付けるための代わりの技術が示される。取り付け部材１３０はコイルバネの端部２９をシステムの床１３１に取り付けるために使用される。連結リブ１３４（図２６と図２７）により一体に結合される離間した滑りレール１３２を有するこれらのシステムにおいて、取り付け部材１３０は床１３１上で且つ滑りレール１３２にスナップ嵌合あるいは取り付けられる。取り付け部材はこのようにコイルバネの端部を適切な位置でシステムの床に保持する。
【００５２】
図２２と図２３を参照すると、取り付け部材１３０は、この部材１３０の１つまたは複数の側部上に１つまたは複数の脚部１３６を備える。この脚部はレール１３２の下側にスナップ嵌合するように構成され、取り付け部材１３０をシステムの床に保持する。脚部１３６は、レール１３２の下側と接触し、レール１３２の下側から脚部を意図的に曲げる場合を除き、取り付け部材１３０が床から持ち上げられるのを防止するように構成された、Ｌ字型即ち角度付き表面を有する脚端部１３７を備える。脚部１３６は、床に対して取り付け部材１３０がスライド移動するのを防止する連結リブ１３４と接触する。図２６を参照すると、取り付け部材１３０はシステムの床に、詳しくはレールに取り付けられた状態で示されている。図２７は、プッシャーパドル１４１がシステムの前方から引き離されたときの取り付け部材１３０が留まっている位置を図示している。取り付け部材１３１は、その他の技術を用いてこの種のシステム床１３１に取り付けることもできる。例えば、取り付け部材１３０を床１３１に固定するのに、別の取り付けクリップ、１つまたは複数のファスナー、接着剤またはその他の技術を用いることが出来る。
【００５３】
図２２と図２３を参照すると、取り付け部材１３０はバネの端部２９を収容する孔、開口、または溝１３８を備える。バネはここに記載された任意の技術またはその他の技術を用いて取り付けることができる。孔１３８と取り付け部材１３０の構成は上述した技術と同様に、バネを取り付け部材１３０上で適切な位置に保持するものである。
【００５４】
取り付け部材１３０はまた上面に滑りリブ１３９を有し、その上に配置された商品が、取り付け部材がシステムの床に装着された後、取り付け部材を横切って簡単にスライドできるように構成されている。取り付け部材１３０はまた脚部１３６の位置の前方に広がる細長い、平坦本体１４０を有し、取り付け部材がシステムの床に取り付けられた後、取り付け部材１３０の安定性をもたらすものである。
【００５５】
図２４、図２５並びに図２７を参照すると、プッシャーパドルまたはプッシャー機構１４１は商品の形状に合わせて形成されたプッシャー面１４３を備え、これが商品を押し出す。図示するように、プッシャー面１４３はボトルまたはその他の円筒状物の形状に合わせて形成された湾曲になっている。プッシャーパドル１４１は上述したプッシャー床形状に類似したプッシャー床１４５を備える。プッシャー床１４５はコイルばね３０を収容するバネスリーブ１４７を更に備え、バネを遮蔽し、保護している。バネスリーブ１４７はバネ３０の方向でプッシャー床１４５を部分的にまたは完全に横切るように伸びている。バネスリーブ１４７は比較的高さが低く、また平坦な表面１４９を有するため、商品を著しく転倒させたり、傾かせることなくその上に載せることができる。
【００５６】
プッシャーパドル１４１は床１３１の上に位置させられ、上述したようにその表面をスライドする。プッシャーパドルは商品保持部材１５５により一体に結合される２つの商品仕切り壁１５３間に位置させられる。更なる商品保持部材１５７は商品仕切り板から外側に伸びる構成である。
【００５７】
図２８と図２９を参照すると、コイルバネ３０の端部２９を販売陳列システムに取り付けるための更なる別の技術が示されている。この実施例では、端部２９はトレイ２１６にリベット留めされている。
【００５８】
別の実施例である図２８から図３２を参照すると、無軌道プッシャーシステムは既に組みつけられた商品仕切り板を有する既存の棚アッセンブリー２３０に後から組みつけられる。例えば、１つの実施例では無軌道プッシャーシステムは既存の線棚アッセンブリーに後から組みつけられる。図３０から図３２を参照すると、トレイ即ちアダプター２１６は棚２３４の１つのレーンの大きさに、または棚幅全体の大きさに合わせて形成された滑り床２２２を備える。滑り床２２２は数個の凸状リブ２２４を有し、これはトレイ２１６上にある、販売用商品の摩擦の減少を補助する。１つまたは複数の凸状リブ２２４は滑り床２２２で用いられることが理解できるであろう。あるいは滑り床２２２は凸状リブを有しないで平坦な表面であっても良い。トレイ即ち、アダプター２１６は図１６のアダプター１８０に類似するように構成しても良い。
【００５９】
図２８と図３０に示されるように、コイルバネ３０の端部２９はリベット２２９を介してトレイ２１６の前端部２２８にリベット留めされるか、またはその他任意の取り付け技術により取り付けても良い。トレイ２１６は特定の棚に合う任意の取り付け技術により棚に固定することも出来る。１つの実施例では、図２９から図３２に図示されるように、トレイ２１６は外側に伸びる１つまたは複数の指即ちスナップ２２０を備え、棚２３４の１つまたは複数の個々の線２３２と係合して、トレイ２１６を棚２３４上に保持する。複数の指即ち、スナップ２２０はトレイ２１６の長さに沿って長さ方向に伸びるか、トレイの長さに沿って離間して設けられる。スナップ２２０はトレイ２１６を現存する線棚にスナップ嵌合させるように用いられる。図２９Ａ と図２９に示されるように、スナップ２２０Ａと２２０Ｂはトレイ２１６を棚にスナップ嵌合させることの出来る種々の形状を取ることができる。図２８から図３２に図示された実施例は無軌道プッシャーアセンブリー全体に対して、低価格で例えば、線棚システムのような現存棚システムに無軌道プッシャーシステムを配置することを可能にするものである。この実施例では、ここに記載された任意のプッシャー機構を用いることが出来ることが理解できる。
【００６０】
図３３と図４４に図示されるように、別の実施例では、陳列管理システムは１つまたは複数のプッシャー機構２８６、１つまたは複数の仕切り板２６６、１つまたは複数のトレイ３０６、および１つまたは複数の留め具２５０から構成される。プッシャー機構２８６はプッシャーパドル２８７とプッシャー床２８８から形成される。商品はプッシャー床２８８上に配置され、仕切り板２６６とプッシャーパドル２８７を介して陳列管理システムの前方にまで案内される。コイルバネ３０はプッシャー機構２８６を留め具２５０に向かって付勢し、商品はシステムの前方にまで移動させられる。
【００６１】
図３３に示される、１つの実施例では、コイルバネ３０は留め具２５０に取り付けられる。あるいはコイルバネ３０は仕切り板２６６に取り付けられる（図４８と図４９にも示される）。コイルバネ３０は図３３に示されるように留め具２５０に直接取り付けられても良いし、または図３４に示されるように、分離したアダプター２５２を介して留め具２５０に取り付けられても良い。
【００６２】
図３５に示されるように、アダプター２５２は第一端部２５６近傍に壁２５４を有する。この第一端部２５６は上方に曲がる湾曲部２６２を有する。アダプター２５２の中間部は湾曲溝２６０を備え、これは対応する形状のバネ端部（図示せず）を収容するように構成される。
【００６３】
一端にあるコイルバネ３０はアダプター２５２の中間部に固定される。実施例では湾曲溝２６０は第一バネ端部の形状と大きさに一致する。更にコイルバネ３０の第一バネ端部は更なる固定を図るため、ひだが作られたり、湾曲されたりする。それにもかかわらず、コイルバネ３０の第一バネ端部をアダプター２５２に固定するために任意の十分な固定方法を用いることができる。
【００６４】
実施例では、図３６と図３７に示されるように、留め具２５０は、アダプター２５２の湾曲部２６２の形状と大きさと一致した湾曲溝２８４を有する。この湾曲溝２８４は留め具の長さ方向に伸び、留め具２５０の長さ方向に沿ってアダプター２５２の制限のない位置決めを可能にする。
【００６５】
コイルバネ３０の第一バネ端部を留め具２５０に固定するために、アダプター２５２の湾曲部２６２は留め具２５０の湾曲溝２８４の中に配置される。この湾曲溝２８４はアダプター２５２とコイルバネ３０の第一バネ端部を留め具２５０に固定し、陳列システムの迅速で、簡便なアセンブリーを供給する。壁２５４は留め具２５０とアダプター２５２間の結合の更なる安定性を供給している。しかしながら、その他の方法を用いて、アダプター２５２および/またはコイルバネ３０の第一バネ端部を留め具２５０に固定することができる。
【００６６】
あるいは、図３３と図４４に示されるように、プッシャーパドル２８７のコイルバネ３０はトレイ３０６の前方部に直接取り付けられる。コイルバネ３０の第一バネ端部２９０は湾曲部を備える。この湾曲部はプッシャー床２８８から下方に曲がり、分配トレイ３０６の前面のリップ３１８と留め具２５０により画成されたへこみ部３１６（図３３に示される）に収容されるように適合される。留め具２５０の垂直方向に向いた表面とリップ３１８は間隔をもって設けられ、このためこの垂直方向に向いた表面とリップ２５０の前方エッジ間に間隙が形成される。コイルバネ３０とプッシャー機構２８６をアセンブリーに固定するため、第一バネ端部２９０が留め具２５０の垂直方向に向いた表面とリップ３１８の前方エッジ間に形成された間隙に挿入され、分配トレイ３０６のリップ３１８と留め具２５０により形成されたへこみ部３１６内に配置される。
【００６７】
図３８、図３９、図４８と図４９に示される別の実施例では、コイルバネ３０は仕切り板２６６に直接取り付けられる。更にこの例では、コイルバネ３０は、それが巻かれる軸がプッシャー床２８８に直角になるようにプッシャー床２８８に垂直に取り付けられる。この方向性はプッシャーパドルの後ろへの転倒を防止する利点がある。第一バネ端部２９０は角度部２９２と先端部２９６を備える。一実施例では、角度部２９２はコイルバネ本体２９４に直角に湾曲している。仕切り板は溝２９８を備え、そこに第一バネ端部２９０の先端部２９６が収容されるように構成される。
【００６８】
コイルバネを仕切り板２９６に固定するため、先端部２９６は溝２９８に挿入される。一旦先端部２９６は溝２９８に十分に挿入されると、角度部２９２が溝２９８と係合して、第一バネ端部２９０を仕切り板２６６に固定する。
【００６９】
図３３に図示されるように、種々のプッシャー機構デザインが実行される。プッシャーパドル２８７は対応した形状の商品を収容するため平坦に形成できる。あるいは、プッシャーパドル２８６は湾曲第一端部と平坦第二端部を有しても良い。この構成により種々の、異なる大きさの直径を有する種々の円筒形商品を収容することができ、プッシャー機構２８６の作動を促進するものである。プッシャー機構の作動中、プッシャー機構２８６の商品と湾曲第一端部が一緒になってプッシャー機構を仕切り板２６６に押し付け、その結果コイルバネ３０は、引張されている間、即ち作動中、第一バネ端部２９０を保持している仕切り板２６６に対して平坦のままになる。この構成はプッシャー機構の滑らかな作動を可能にし、ユザーが商品をシステムから取り出すと商品がきちんと分配されることを確実にする。
【００７０】
図４０から図４１Ｄに示される別の実施例では、仕切り板２６６の距離を調節して異なる大きさの容器を収容できるように構成される。仕切り板２６６は連結部２７２を備える。連結部２７２は第一の細長い、角度表面２６８と第二の細長い、角度表面２７０を備える。更には、連結部２７２は複数の突起部２７４を備える。図４１Ｂに示されるように、レールはすくい面２８０と逃げ面２８２を有する歯２７８により形成される。
【００７１】
図４１Ｃに示されるように、組み立てられると、連結部２７２はレールの歯２７８間に収容される。更に細長い、角度表面２６８と２７０および突起部２７４は歯２７８間で楔状に構成される。また図４１Ｃに示されるように、細長い、角度表面２６８と２７０はすくい面２８０と係合し、突起部２７４は歯２７８の低い表面と係合している。逃げ面２８２は連結部２７２と接触する。
【００７２】
図４２に示された実施例では、トレイ３０６は蟻継ぎ連結部を備える。トレイ３０６の第一側部３０８はトレイ３０６の第二側部３１０上に設けられた溝３１４内にはめ込まれるように構成された舌部３１２を備える。トレイを連結するために、舌部３１２は溝３１４内にしっかりと固定されるように溝３１４は舌部３１２と一致するように構成されている。
【００７３】
図４３に示された実施例では、トレイ３０６は前端部で留め具２５０を収容するように構成される。留め具は長方形穴３００を備え、且つそれに対応する形状と大きさの突起部３０２を備える。留め具２５０をトレイ３０６に固定するため、突起部３０２が穴３００内に嵌合して、留め具をトレイ上で適切な位置にロックすることができる。
【００７４】
図４５から図４７に示されるように、商品管理陳列システムが組み立てられた後、商品がシステムに供給される。仕切り板２６６を調節することによって種々の大きさ、形状の商品が幅広くシステムに供給できる。図４６と図４７に示されるように、プッシャーパドル２８７と結合しているコイルバネ３０は商品を留め具２５０側に押し出す。ユザーが商品をシステムから取り出すと、プッシャーパドル２８７は残っている商品を押して、その商品を床２６４に沿って留め具２５０までスライドさせる。これにより、すべての商品が陳列システムの前部に残ることになる。
【００７５】
図５０から図５２に示されるように、商品管理システム４００はトレイ４０２、４０３が互いにその上に重ねることができるように構成されることもできる。この実施例は、通常第一トレイ４０２、第二トレイ４０４、第一スペーサー４０６および第二スペーサー４０８から構成される。
【００７６】
トレイ４０２と４０４はそれぞれ分配される商品を収納するように構成される。第一トレイ４０２と第二トレイ４０４はそれぞれ透明留め具４１０、プッシャー機構４１２、第一、第二壁、およびコイルバネ４１４を備える。
【００７７】
プッシャー機構４１４は上述した実施例と同様に構成され、商品が取り出される間、トレイ４０２と４０４の表面に沿ってスライドするように構成されている。更に上述した代替構成のいずれも重ね式トレイ構造に適用することができる。
【００７８】
簡単に組み立てたり、分解したりするため、重ね式商品管理システムは蟻継ぎ手連結部あるいはその他の任意の適切な連結部、例えば、スナップ嵌合連結部、スクリュねじ連結部、またはリベット連結部等を備えても良い。第一、第二トレイは第一、第二スペーサー４０６、４０８を第一、第二トレイ４０２、４０４に組み付けるため、つめ部４１６を備える。第一、第二トレイ４０２、４０４は各々、それぞれの外側表面上にソケット４１８を備え、第一、第二スペーサー４０６、４０８上に設けられた対応する形状のつめ部４１６を収容する。
【００７９】
重ね式商品管理システムを組み立てるため、第一、第二スペーサー４０６、４０８上に設けられたつめ部４１６は第一、第二トレイ４０２、４０４の外側表面上で対応する形状のソケット４１８内に配置され、固定される。これにより、上述した任意の実施例と共に実施できる重ね式構造を提供する。
【００８０】
上述した構成の変更および修正は本発明の範囲内でなされるものである。例えば、当業者は、上述した構成部品の複数のものが、店で使用され、種々の配置で使用され得ることは理解する。そのため本発明は単一システム１０に限定されるものではなく、またシステム１０を本発明の特徴、教示、原理で簡単に説明するため、図に示された直立プッシャー配置に限定されるものでもない。ここに開示され、定義された本発明はテキストおよび/または図面に記載され、またはそれから明らかな個々の特徴の２つまたは複数のすべての代替組み合わせを含むことはさらに理解されよう。これらの異なるすべての組み合わせは本発明の種々の代替態様を構成する。ここに記載された実施例は本発明を実施するために知られたベストモードを説明し、他の当業者が本発明を利用できるようにする。特許請求は従来技術の可能な範囲で代替実施例を含むように解釈されるべきである。
【００８１】
本発明の種々の特徴は、以下の特許請求の範囲により規定される。
【図１】
2011510704.tif 000003
【図２】
2011510704.tif 000004
【図３】
2011510704.tif 000005
【図４】
2011510704.tif 000006
【図５】
2011510704.tif 000007
【図６】
2011510704.tif 000008
【図７】
2011510704.tif 000009
【図８】
2011510704.tif 000010
【図９】
2011510704.tif 000011
【図１０】
2011510704.tif 000012
【図１１】
2011510704.tif 000013
【図１２】
2011510704.tif 000014
【図１３】
2011510704.tif 000015
【図１４】
2011510704.tif 000016
【図１５】
2011510704.tif 000017
【図１６】
2011510704.tif 000018
【図１７】
2011510704.tif 000019
【図１８】
2011510704.tif 000020
【図１９】
2011510704.tif 000021
【図２０】
2011510704.tif 000022
【図２１】
2011510704.tif 000023
【図２２】
2011510704.tif 000024
【図２３】
2011510704.tif 000025
【図２４】
2011510704.tif 000026
【図２５】
2011510704.tif 000027
【図２６】
2011510704.tif 000028
【図２７】
2011510704.tif 000029
【図２８】
2011510704.tif 000030
【図２９】
2011510704.tif 000031
【図２９Ａ】
2011510704.tif 000032
【図２９Ｂ】
2011510704.tif 000033
【図３０】
2011510704.tif 000034
【図３１】
2011510704.tif 000035
【図３２】
2011510704.tif 000036
【図３３】
2011510704.tif 000037
【図３４】
2011510704.tif 000038
【図３５】
2011510704.tif 000039
【図３６】
2011510704.tif 000040
【図３７】
2011510704.tif 000041
【図３８】
2011510704.tif 000042
【図３９】
2011510704.tif 000043
【図４０】
2011510704.tif 000044
【図４１Ａ】
2011510704.tif 000045
【図４１Ｂ】
2011510704.tif 000046
【図４１Ｃ】
2011510704.tif 000047
【図４１Ｄ】
2011510704.tif 000048
【図４２】
2011510704.tif 000049
【図４３】
2011510704.tif 000050
【図４４】
2011510704.tif 000051
【図４５】
2011510704.tif 000052
【図４６】
2011510704.tif 000053
【図４７】
2011510704.tif 000054
【図４８】
2011510704.tif 000055
【図４９】
2011510704.tif 000056
【図５０】
2011510704.tif 000057
【図５１】
2011510704.tif 000058
【図５２】
2011510704.tif 000059
【国際調査報告】
2011510704.tif 000060
2011510704.tif 000061
2011510704.tif 000062